(57)【要約】【課題】  電池寿命を長くし、さらに万一電池切れでも最低限の動作をすることができる。【解決手段】  電池を搭載し、接続先から音声信号ラインにより供給される電源機能を利用した電源機能と電池の電圧を確認して電源制御を行う機能を備えており、内部回路は、音声センサー部と指向性制御および出力増幅部からなり、音声センサー部と指向性制御および出力増幅部は独立した電源で動作可能であり、電源は内蔵電池と、接続先から音声信号ラインにより供給される電源であって、電池電圧が所定値以下のとき、集音装置の出力端子には音声センサー部の出力を、指向性制御および出力増幅部を経由することなく出力する。【選択図】  図１
2018074218.tif 000002
【特許請求の範囲】
【請求項１】
録画、録音可能な装置と接続可能し、音声出力可能な装置であって、
電池を搭載し、接続先から音声信号ラインにより供給される電源機能を利用した電源機能と電池の電圧を確認して電源制御を行う機能を備えており、
内部回路は、音声センサー部と指向性制御および出力増幅部からなり、音声センサー部と指向性制御および出力増幅部は独立した電源で動作可能であり、
電源は内蔵電池と、接続先から音声信号ラインにより供給される電源であって、電池電圧が所定値以下のとき、集音装置の出力端子には音声センサー部の出力を、指向性制御および出力増幅部を経由することなく出力することを特徴とする音声処理装置。
【請求項２】
前記電源制御部はメインスイッチがオンされて電池から通電された電圧を確認し、確認した結果が、指向性制御および出力増幅部の最低動作電圧以上であれば、指向性制御および出力増幅部への通電を許可することを特徴とする請求項１に記載の音声処理装置。
【請求項３】
前記電源制御部はメインスイッチがオンされて電池から通電された直後に、電圧の安定を待ってその電圧を確認し、その結果はメインスイッチがオンされている期間反映することを特徴とする請求項１に記載の音声処理装置。
【請求項４】
録画、録音可能な装置と接続可能し、音声出力可能な装置であって、
電池を搭載し、接続先から音声信号ラインにより供給される電源機能を利用した電源機能と電池の電圧を確認して電源制御を行う機能を備えており、
内部回路は、音声センサー部と指向性制御および出力増幅部からなり、音声センサー部と指向性制御および出力増幅部は独立した電源で動作可能であり、電源は内蔵電池と、接続先から音声信号ラインにより供給される電源であって、音声センサー部の電源は、内蔵電池または接続先から音声信号ラインにより供給される電源のいずれかを選択可能であって、
電池電圧が所定値以下のとき、集音装置の出力端子には音声センサー部の出力を、指向性制御および出力増幅部を経由することなく出力できることを特徴とする音声処理装置。
【発明の詳細な説明】
【技術分野】
【０００１】
本発明は音声処理装置に関する。
【背景技術】
【０００２】
近年ではデジタルカメラでも動画撮影が可能になっている。撮像センサーが高画素、高解像度であることから、これまでの民生用ビデオカメラに比べてきれいな結果が得られている。動画撮影では音声も同時に記録することが一般的であり、業務を除けば、着脱可能なマイクをカメラに装着して使うことで、カメラ内蔵マイクより優れた音質で音声を記録できる。
【０００３】
カメラやビデオカメラ、さらにはパソコンなど着脱可能なマイクを接続し、音声記録可能な製品では、マイク接続のためにミニジャックをもち、接続したマイクへ電源供給するための機能である「ＰｉｎＰ（プラグインパワー）」を備えている。
【０００４】
「ＰｉｎＰ（プラグインパワー）」は、規格化されていないが音声センサーであるＥＣＭ：エレクトレットコンデンサマイクを動作させるに必要な電源能力は備えており、「ＰｉｎＰ対応」と謳ったマイクも商品化されている（特許文献１、２参照）。
【先行技術文献】
【特許文献】
【０００５】
【特許文献１】特開平６−２３３３７５号
【特許文献２】特開２０１３−２３６１２５号
【発明の概要】
【発明が解決しようとする課題】
【０００６】
「ＰｉｎＰ対応」と謳ったマイクは、単なるステレオマイクなどであって、回路規模を小さく、消費電力を少なく抑えている。そのため、指向性切り替えなどの回路が組み込まれている高機能マイクでは、その消費電流から、デジタルカメラなど接続先機器からのＰｉｎＰではソース能力不足で動作できず、電池などの電源を搭載する必要がある。
【０００７】
しかし、電池を搭載すると、デジタルカメラなど接続している録音機器が動作できる状態であっても、マイクの電池性能が低下すれば、回路が適正に動作できないことが起こりうる。マイクの高機能化には電源の制約が加わることになるわけであり、これを回避するために、カメラ、マイク間に独自のインターフェースを設けた商品も存在する。但し、「カメラ、マイク間の独自のインターフェース」は他製品との接続に制約が生じてしまう。一方で、ＥＣＭは、一般的に低電圧で動作可能であり、増幅部などの回路が動作できない程電池電圧が低下しても、接続先機器が録音可能な出力を提供できる。
【０００８】
本発明は上述した課題に鑑みてなされたものであり、電池性能が劣化して、電気回路の動作機能低下が生じる状態では、その影響を回避し、接続先の録音機器が録音可能な信号出力を提供することにある。
【課題を解決するための手段】
【０００９】
電池を搭載し、接続先から音声信号ラインにより供給される電源機能を利用した電源機能と電池の電圧を確認して電源制御を行う機能を備えており、内部回路は、音声センサー部と指向性制御および出力増幅部からなり、音声センサー部と指向性制御および出力増幅部は独立した電源で動作可能であり、電源は内蔵電池と、接続先から音声信号ラインにより供給される電源であって、電池電圧が所定値以下のとき、集音装置の出力端子には音声センサー部の出力を、指向性制御および出力増幅部を経由することなく出力する。
【発明の効果】
【００１０】
本発明によれば、電源系統を２つに分けて、音声センサー部（ＥＣＭなど）はＰｉｎＰ（プラグインパワー）対応とすることで、電池電圧の低下により指向性制御部や増幅部などの信号処理部が停止した場合も音声出力は継続でき、例えば、使用環境温度により、一時的に電池が使用不能になったときにも、予備の電池を用意することなく、また電池交換のために音声の記録を中断することもなく、撮影をスムーズに行える効果がある。
【図面の簡単な説明】
【００１１】
【図１】デジタルカメラシステムのブロック図である。
【図２】外部マイクと音声処理部のブロック図である。
【図３】ＥＣＭの配置と指向性の関係を示す図である
【図４Ａ】外部マイクの信号の流れを示すブロック図である。
【図４Ｂ】外部マイクの信号の流れを示すブロック図である。
【図４Ｃ】スイッチの構成を示すブロック図である。
【図５】カメラの動作内容を示すフロー図である。
【図６】マイクの動作内容を示すフロー図である。
【図７】外部マイクの動作を示すタイミング図である。
【図８】外部マイクの電源制御の動作を示すタイミング図である。
【図９】外部マイクの電源制御の動作を示すタイミング図である。
【図１０】外部マイクとデジタルカメラの音声処理部のブロック図である。
【図１１】外部マイクのメインＳＷによる電源供給内容を示す図である。
【図１２】外部マイクの電源制御の動作を示すタイミング図である。
【発明を実施するための形態】
【００１２】
以下、本発明の実施形態に係わる、一眼レフデジタルカメラおよび着脱可能な外部マイクについて、図面を参照しながら詳細に説明する。
【００１３】
図２は本発明の実施の形態に係る外部マイクをカメラに接続した際の構成を示すブロック図である。外部マイク３００は電源制御部３０９を持ち、搭載する電池３０１のＢＣ（バッテリーチェック）結果に基づき、音声センサー部出力の電気的制御有無を選択している。指向性制御部＆ａｍｐ部３０４が動作できない電圧に低下しているならば、電気的制御は行わず、直接カメラへ接続する構成である。
【００１４】
音声センサー部３０２はカメラからのＰｉｎＰ（プラグインパワー）機能で動作できるので、例えば環境温度の低下などで電池性能が低下しても、その影響なく出力可能であり、電気的制御を行わないことにより指向性選択の制約は生じるものの、撮影を継続することができる。
【００１５】
［実施の第１の形態］
以下、本発明の実施の第１の形態を詳細に説明する。図１は本発明の実施の形態に係るカメラシステムの概略構成を示す図である。破線で囲まれた部分はカメラであって、着脱可能な外部集音装置（マイク）が装着された状態である。カメラは、制御手段として機能して全体の制御を行うマイコンＰＲＳ１４０と、ＣＣＤまたはＣＭＯＳエリアセンサ等からなる撮像部１３とを具備している。また、撮像部１３から入力された画像信号を処理する画像処理部１４１、カメラの撮影画像を表示する画像表示部６、複数の画像データを保存する不揮発性の記憶部材からなる外部記憶装置９等も具備している。
【００１６】
マイコンＰＲＳ１４０は、例えば、内部にＣＰＵ（中央演算処理部）、ＲＡＭ、ＲＯＭ、不揮発性メモリ、入出力ポート等が配置されたワンチップのコンピュータ（以下、マイコンと略記する）である。マイコンＰＲＳ１４０は、ＲＯＭに格納されたシーケンスプログラムに基づいて、一連の動作を行う。また、マイコンＰＲＳ１４０に内蔵されている不揮発性メモリには、一連のパラメータが格納されている。
【００１７】
例えば、露出制御や焦点調節に関する調整値等を含む一連のカメラの制御パラメータや、撮像素子の調整値、撮影画像のホワイトバランスから画像表示部６に撮影画像を表示する際の制御値のデータなどのパラメータが格納されている。このように、画像処理の制御、調整に関係する一連のパラメータが不揮発性メモリに格納されている。
【００１８】
マイコンＰＲＳ１４０は、動画撮影時には、音声処理部２００からの音声出力を画像処理部１４１の出力と同期させて撮影画像データとして外部記憶装置９に記録する。音声処理部２００は、着脱式の外部マイク３００または内蔵マイク５００のいずれかの音声信号を選択し、所定の信号処理を行い、デジタルデータとしてマイコンＰＲＳ１４０に出力する。
【００１９】
外部マイク３００はφ3.5mmのジャックを介してカメラに電気的に接続可能であって、マイコンＰＲＳは挿抜検知部４００からの出力により外部マイク３００が装着されていることを検知すると、音声処理部２００の音声処理内容を外部マイク３００に適した内容に切り替える。外部マイク３００が装着されていないときには、音声処理部２００の音声処理内容を内蔵マイク５００に適した設定として、音声処理を行う。外部マイク３００および音声処理部２００の詳細説明は図２を使って後述する。
【００２０】
撮像部１３は、ＣＣＤまたはＣＭＯＳエリアセンサ等の撮像素子と該撮像素子を駆動するセンサ駆動部とからなる。撮像部１３は、レンズ部５の光学系を通じて、撮影領域からの光束を撮像素子上に結像させており、撮像素子はこの光学像を光電変換し、電気信号として画像処理部１４１へ出力する。
【００２１】
画像処理部１４１は、撮像画像補正部、インターフェイス（ＩＦ）部、表示画生成部から構成されていて、撮像部１３からの撮像素子出力に一連の処理を行っている。撮像画像補正部は、Ａ／Ｄ変換機能を備え、撮像部１３から入力された電気信号をＡ／Ｄ変換し、暗電流補正やシェーディング補正など、撮像部１３に起因する一連の補正を行う。
【００２２】
画像処理部では、ローパスフィルタによりノイズ成分を除去し、画素及び色補間処理、ホワイトバランスやガンマ補正等、いわゆる画像そのものに関する一連の画像処理を行う。ＩＦ部では、一連の画像処理を行った撮影画像データを後述する外部記憶装置９へ送り出したり、外部記憶装置９に記録された撮影画像データを読み出したりする。
【００２３】
また、画像処理部１４１では、画像処理された撮影画像データや、外部記憶装置９に記憶された撮影画像データに対して表示のための一連の処理を行い、ＩＦ部を介して画像表示部６へ出力する。なお、ＩＦ部から画像表示部６へ撮影画像データを出力するまでの一連の処理は、表示画生成部内のリサイズ部、ＶＲＡＭ部を経由して行われる。
【００２４】
画像表示部はＬＣＤ制御部とＬＣＤ表示部で構成され、画像処理部１４１にてＬＣＤ表示向けの画像サイズに調整された画像データにＬＣＤ表示向けに、輝度、コントラスト、γの各調整を行い、ＬＣＤに表示する。バックライトの点灯および輝度制御はマイコンＰＲＳ１４０にて行っている。
画像表示部に表示される対象となる撮影画像データは、前述した撮像部１３で撮像された画像データのほかに、外部記憶装置９に記憶した画像データや、カメラの設定情報がある。
【００２５】
外部記憶装置９は、例えば、ＣＦカードのような複数の画像データを保存することができる不揮発性の記憶部材であって、画像処理装置１００から着脱可能なものである。そして、カメラに装着した状態で画像処理部１４１から出力される撮影画像データを記憶する。これにより、１つまたは複数の撮影画像データを記憶した後に、カメラから取り外して、本システムのデータ形式で読み出し可能な別のシステムに装着すれば、記憶されている撮影画像データの再生、編集、及び保存が可能となる。
【００２６】
また、カメラに外部記憶装置９を再度装着することによって、本システムのデータ形式で読み出し可能な画像データであれば、読み出し後、画像処理部１４１において最適な信号処理を行うことができる。そして、ＬＣＤ制御部においてＬＣＤ表示部に表示するための処理を行った後に、ＬＣＤ表示部に画像を表示することができる。
【００２７】
焦点検出部４は、結像面近傍に配置されたフィールドレンズ、反射ミラー、２次結像レンズ、絞り、及び複数の光電変換素子らかなるＣＣＤ等のラインセンサから構成されている。本実施形態における焦点検出部４は、周知の位相差方式であるとともに、観察画面内（ファインダ視野内）の複数の領域を測距点として、該測距点で焦点を検出することが可能となるように構成されている。
【００２８】
レンズ部５には、焦点調節回路及び絞り駆動回路が組み込まれており、不図示のマウント接点を介してマイコンＰＲＳ１４０と信号の伝達がなされる。マイコンＰＲＳ１４０は焦点検出部４から出力される信号に基づき、レンズ部５に内蔵されている焦点調節回路を動作して、最適な焦点調節となる信号を出力する。さらに、不図示の測光回路から出力される信号に基づいて、レンズ部５に内蔵されている絞り駆動回路を動作して、最適な露光量となる信号を出力する。
【００２９】
図２は、図１の外部マイク３００がカメラに接続された状態での音声処理部２００、挿抜検知部４００の構成について示すブロック図である。外部マイク３００は、ショットガン（モノラル）、９０°ステレオ、１２０°ステレオの３つの指向性のいずれかを選択でき、回路動作電源として電池を搭載し、ＢＣ（バッテリーチエック）やＰｉｎＰ検知部などからなる電源制御回路の出力に応じて通電を行っている。
【００３０】
ＰｉｎＰは定められた規格が現時点では存在せず、一般的にＰｉｎＰ搭載と謳っている録音機能を備えた製品は、単なるステレオマイクを動作させるソース能力を有しても、例えば指向性制御のために複数の音声センサーの信号を合成するなどの機能を賄うほどのソース能力はないため、その必要があるときは、別途電源を用意しなければならない。
【００３１】
電池３０１は、例えばＣＲ２０３２のようなコイン電池であり、外部マイクの外形や重量への影響は小さい。メインＳＷ３０８は外部マイク回路への通電を可能にするメカニカルスイッチであって、ユーザーが使用時にＯＮ操作するものである。回路は２系統あり、スイッチのＯＮ−ＯＦＦは同時に行われる。１系統は、電池３０１からの通電を行うためのもの。もう１系統は、カメラからのＰｉｎＰを外部マイク内部へ通電するためのもの。
【００３２】
指向性選択ＳＷ３０７は、ｓｈｏｔｇｕｎ（モノラル）、９０°（ステレオ）、１２０°（ステレオ）なる３つの指向性からユーザーが意図する指向性を選択し設定するためのメカニカルスイッチである。
【００３３】
電源制御部３０９は、オートパワーコントロールを行う部分であり、電池３０１のＢＣ（バッテリーチエック）とＰｉｎＰのＯＮ−ＯＦＦを検知し、その結果に応じて、スイッチ３０３、スイッチ３０５、スイッチ３０６の制御を行う。電源制御部３０９のＢＣ判定レベルは、指向性制御部＆ａｍｐ部３０４の回路の最低動作電圧に基づき設定され、電源制御部３０９の最低動作電圧よりも高い。最低動作電圧の大小関係は、次のようになっており、電源制御部３０９が適正に動作できない不定な電圧域であっても音声センサー部３０２は動作できる。
【００３４】
音声センサー部３０２＜電源制御部３０９＜スイッチ３０３，３０５，３０６＜指向性制御＆ａｍｐ部３０４（ＢＣ判定レベル）
スイッチ３０３、スイッチ３０５、スイッチ３０６はトランジスタなどで構成された電気的に動作するスイッチである。電池電圧が低下して、ＢＣ＿ＮＧ（ＢＣ判定レベル未満）となった後は、さらに電池電圧が低下してスイッチ３０３、スイッチ３０５、スイッチ３０６自身の最低動作電圧を下回ってもＢＣ＿ＮＧ（ＢＣ判定レベル未満）の設定を保持し続けるので、音声センサー部３０２の出力は、指向性制御＆ａｍｐ部３０４をパスし、電池電圧が低下しＢＣ＿ＮＧとなっても、ＥＣＭが動作可能な電圧であればカメラへ音声信号が出力される。詳細は図４Ｃにて説明する。
【００３５】
電源制御部３０９では、メインＳＷ３０８がＯＮした直後にＢＣを行い、その結果をメインＳＷ３０８がＯＮの期間は保持し、ＰｉｎＰレベル検出結果とＡＮＤした結果を出力する。ＰｉｎＰのレベルが所定値以上であるときは、スイッチＳＷ３０６はＯＮし指向性制御部＆ａｍｐ部３０４へ通電する。電源制御部３０９の最低動作電圧は、ＢＣ判定電圧よりも低いため、適切なＢＣ動作を行うことができる。
【００３６】
ＰｉｎＰは、カメラが録画の際、音声記録を併せて行うときにＨレベルとなるので、この信号レベルを検知しての電源制御は、必要時にのみ電池からの通電を行い電池の消費を最少限に抑えていることになる。カメラからＰｉｎＰによる電源供給はＬｃｈ、Ｒｃｈともになされるが、電源制御部３０９は、電源としてなくレベル検知として使用しているため、Ｌｃｈのみとしている。詳細動作は後述する。
【００３７】
ブロック３０２は、音声センサーであり、３つの単一指向性ＥＣＭ（エレクトレットコンデンサーマイク）と、そのフィルタで構成される。電源はカメラのＰｉｎＰ（プラグインパワー）により供給される。３つの単一指向性ＥＣＭ（エレクトレットコンデンサーマイク）の使い方については、指向性制御と合わせて図３にて説明する。
【００３８】
スイッチ３０３はスイッチ３０５と組わせて動作させることで、音声センサーブロック３０２からの出力を指向性制御部＆ａｍｐ部３０４をパスさせるか否かの選択を行う。電源制御部３０９にて電池３０１のＢＣがＮＧと判断したときには、プラグインパワーレベルがＨレベルになっても、スイッチ３０６はオープンを保持し、指向性制御部＆ａｍｐ部３０４へは通電されない。スイッチ３０６は、メインＳＷ３０８がＯＮしている状態で、電池３０１から指向性制御部＆ａｍｐ部３０４への通電を電源制御部３０９の出力に基づいて行うスイッチである。
【００３９】
指向性制御部＆ａｍｐ部３０４は、電池３０４からの通電により動作し、指向性制御部は、指向性選択ＳＷ３０７の設定に基づいて、ブロック３０２からの出力信号を合成してＲｃｈ、Ｌｃｈ向けの２つの信号系に集約する。指向性制御部＆ａｍｐ部３０４の機能については、図３にて説明する。
【００４０】
ａｍｐ部は指向性制御部からの信号を受けて、周波数特性、感度などを意図する特性にするためのものである。例えば、ブロック３０２の３つのＥＣＭは、センターＥＣＭとＬｃｈＥＣＭ，ＲｃｈＥＣＭとで異なる固有の周波数特性と感度を持ち、一般的に周波数特性はフラットはない。指向性制御部で合成した後の特性も固有である。
【００４１】
外部マイクに求める周波数特性がフラットであるときには、あらかじめ判っている周波数特性に対し、周波数を高域、低域に分けて、異なる増幅度で増幅することで、周波数差による出力バランス調整を行い出力時にはフラットな周波数特性となる。さらに意図する感度とするために、高域、低域それぞれの増幅度の大きさを最適化する。ここでは、Ａ級ａｍｐの構成であり、ａｍｐへの入力信号の大きさによらず消費電流は一定である。３１０で示すコンデンサＣ３、Ｃ４はカメラとの接続に際しＤＣ分離のためのものである。
【００４２】
続いて、カメラ側の説明を行う。ミニジャク４００にはマイク挿抜検知部が組み込まれている。外部マイクのφ３．５ｍｍのプラグが挿入されることで開閉するスイッチである。その出力は挿抜検知信号としてマイコンＰＲＳ１４０に接続されている。音声処理部２００は、ＰｉｎＰ制御スイッチＳＷ２０３、制御部２０４、入力信号選択スイッチＳＷ２０５、アナログ増幅部２０６、ＡＤＣ（ＡＤコンバーター）部２０８、信号処理部２０９、出力ＩＦ部２１０で構成されている。
【００４３】
ＰｉｎＰ制御スイッチＳＷ２０３は制御部２０４からの信号により２０１で示す抵抗Ｒ１，Ｒ２を介して電源ＶｃｃをＲｃｈ、Ｌｃｈに供給する。２０２で示すコンデンサＣ１，Ｃ２は音声処理部２００へ入力されるＬｃｈ、Ｒｃｈ信号のＤＣ分離を行う。スイッチ２０５は音声処理すべき信号が外部マイク３００からのものか、内蔵マイク５００からのものかを選択する。
【００４４】
増幅部２０６は入力されたスイッチ２０５にて選択されたアナログ音声信号を所定の増幅度で増幅する。さらに、フィルタ２０７にて不要なノイズの除去を行う。ＡＤＣ２０８はＡＤコンバーターであって入力される音声信号がデジタルで記録、再生しても十分特性が再現できるサンプリングレートおよび分解能でアナログ音声信号をデジタル化する。信号処理部２０９はデジタル化された音声信号についてＡＬＣ（オートレベルコントロール）や風切音除去などの処理を行う。ＩＦ部２１０では、マイコンＰＲＳ１４０との通信を行う。
【００４５】
信号／ＣＳ＿ＭＩＣがＬレベルになって音声処理部２００が選択されると、通信クロックＳＣＬＫに同期してデータラインＳＤＩにて制御部２０４への設定データを受信し、データラインＳＤＯからは信号処理された音声データや、制御部設定情報が制御部の設定内容に従って送信される。スイッチ２０６から出力ＩＦ２１０までの一連の信号処理ではＬｃｈ、Ｒｃｈの２系統の処理を同じ内容で行っている。
【００４６】
図３を使って、図２の３０２に示す、外部マイクの音声センサー（ＥＣＭ）の配置と指向性について説明する。図３（ａ）は、外部マイク３００をカメラに装着したときに、カメラ上方（マイク上方）から見た図である。カメラに装着した際、音響管の正面はカメラのレンズ光束と同一の方向を向き、センタ−ＥＣＭの最も感度の高い方向と一致する。センターＥＣＭは音響管に組み込まれており、比較的遠くの音も、音響的に高い感度で集音できる。ＬｃｈＥＣＭは、最も感度の高い方向がカメラのレンズ光束に対し６０°左の方向に配置されている。
【００４７】
ＲｃｈＥＣＭは、最も感度の高い方向がカメラのレンズ光束に対し６０°右の方向に配置されている。ＬｃｈＥＣＭとＲｃｈＥＣＭはペアでステレオ音声として使われる。このＲｃｈＥＣＭ, ＬｃｈＥＣＭの配置はＸＹ方式と呼ばれている。
【００４８】
図３（ｂ）は、上述の３つの音声センサー（ＥＣＭ）を組わせた指向性について示す表である。指向性毎に必要とする音声センサー（ＥＣＭ）出力を「○」で示している。指向性はｓｈｏｔｇｕｎ（モノラル）、９０°（ステレオ）、１２０°（ステレオ）を設定することができ、ｓｈｏｔｇｕｎ（モノラル）はセンターＥＣＭのみを使用、９０°（ステレオ）はセンターＥＣＭ、ＬｃｈＥＣＭ、ＲｃｈＥＣＭを使用、１２０°（ステレオ）はＬｃｈＥＣＭ、ＲｃｈＥＣＭを使用、で実現している。
【００４９】
ｓｈｏｔｇｕｎ（モノラル）はセンターＥＣＭの出力をＬｃｈ音声、Ｒｃｈ音声に並列に出力している。１２０°（ステレオ）では、ＬｃｈＥＣＭをＬｃｈ音声、ＲｃｈＥＣＭをＲｃｈ音声としている。９０°（ステレオ）では、ＬｃｈＥＣＭによるＬｃｈ音声、ＲｃｈＥＣＭによるＲｃｈ音声それぞれに、センターＥＣＭの音声出力を加え、音声出力を合成することで９０°の指向性を実現している。
【００５０】
センターＥＣＭとＬｃｈＥＣＭあるいはＲｃｈＥＣＭ音声出力の合成比率で指向性が確定するため、合成比率は、ＥＣＭの特性や音響管の性能を考慮して、製品ごとに最適な値を設定する必要がある。
【００５１】
図２の指向性制御部＆ａｍｐ部３０４内の指向性制御部は、指向性選択ＳＷ３０７の設定に従い上述の指向性の設定を電気回路にて行っている。指向性制御部＆ａｍｐ部３０４は、各指向性で指向性制御部＆ａｍｐ部３０４の出力の大きさに変動がないよう、指向性毎に出力の調整も行っており、例えば、センターＥＣＭの感度が高いために、ｓｈｏｔｇｕｎ（モノラル）での出力が高くなってしまうときには、９０°（ステレオ）時の出力と同じになるよう増幅度を設定し、それを回避している。
【００５２】
また、９０°（ステレオ）、１２０°（ステレオ）ではＥＣＭの感度ばらつきにより、ステレオ感（左右バランス）に影響を与えることがあるため、Ｌｃｈ、Ｒｃｈ出力バランス調整も行っている。
【００５３】
図４Ａ、図４Ｂは図２のスイッチ３０３，スイッチ３０５、スイッチ３０６の接続状態について示す図である。図２の外部マイク側のみを示しており、各ブロックの内容は図２と同じである。図４Ａはスイッチ３０３、スイッチ３０４にて、信号が指向性制御部＆ａｍｐ部３０４をパスした流れを構成している。このときＲｃｈ、Ｌｃｈへの音声信号は、指向性制御なされていないため、ＲｃｈＥＣＭ、ＬｃｈＥＣＭの出力に依存し、指向角１２０°のステレオ信号が出力される。ブロック３０２内のフィルター部により、一連の周波数特性の改善がなされている。
【００５４】
図４Ｂはスイッチ３０３、３０４にて、信号が指向性制御部＆ａｍｐ部３０４を経由した流れを構成している。このときＲｃｈ、Ｌｃｈへの音声信号は、指向性制御された後、ａｍｐにて指向性制御後の信号について周波数特性の改善を行っている。図４Ｂでは、図４Ａと外部マイクの出力レベルに差がないよう指向性制御部＆ａｍｐ部３０４中のａｍｐ部にて増幅度の最適化がなされている。図４Ｃは、図２および図４Ａ、図４Ｂに示すスイッチ３０３、スイッチ３０５、スイッチ３０６の構成を示す図である。この図を使ってスイッチ動作について説明する。
【００５５】
スイッチ３０３、スイッチ３０５、スイッチ３０６はＭＯＳ型トランジスタを使った電気的に動作するスイッチである。スイッチ３０３は、スイッチ３０３Ａ，スイッチ３０３Ｂなる２つのスイッチで構成される。スイッチ３０３Ａ，スイッチ３０３Ｂは同じ構成であって、最低ＯＮ電圧（ドレインーソース間抵抗ＲＤＳを十分さげることができる最低電圧）が同じである２つの低ＯＮ抵抗ＭＯＳ型トランジスタからなり、１つはＮチャンネル型、もう一つはＰチャンネル型である。
【００５６】
ゲートに接続された制御信号である電源制御部３０９の出力が最低ＯＮ電圧（ドレインーソース間抵抗ＲＤＳを十分さげることができる最低電圧）以上であれば、ＮチャンネルＭＯＳ型トランジスタのドレインーソース間抵抗ＲＤＳは小さくＰチャンネルＭＯＳ型トランジスタのドレインーソース間抵抗ＲＤＳは大きくなり音声センサー部３０２からの音声信号は、指向性制御＆ａｍｐ部３０２へ接続されたスイッチ動作となる、最低ＯＮ電圧未満であればＮチャンネルＭＯＳ型トランジスタのドレインーソース間抵抗ＲＤＳは大きく、ＰチャンネルＭＯＳ型トランジスタのドレインーソース間抵抗ＲＤＳは小さくなり音声センサー部３０２からの音声信号は、指向性制御＆ａｍｐ部３０２をパスしスイッチ３０５へ接続されたスイッチ動作とになる。スイッチ３０５はスイッチ３０３と同じ構成なので説明は省略する。
【００５７】
スイッチ３０６は、１つの低ＯＮ抵抗ＮチャンネルＭＯＳ型トランジスタであり、ゲートに接続された制御信号である電源制御部３０９の出力が最低ＯＮ電圧（ドレインーソース間抵抗ＲＤＳを十分さげることができる最低電圧）以上であれば、ドレインーソース間抵抗ＲＤＳは小さくなり、スイッチがＯＮ（閉じた）状態となり、最低ＯＮ電圧未満であればドレインーソース間抵抗ＲＤＳは大きくなって、スイッチがＯＦＦ（開いた）状態となる。スイッチ３０３、スイッチ３０５、スイッチ３０６の最低動作電圧はいずれも同じである。
【００５８】
したがって、装着した電池電圧が、電源制御部３０９でＢＣ＿ＯＫレベルと判定したとき、スイッチ３０３、スイッチ３０５は電源制御部３０９からの出力に応じてスイッチ切り替え動作をし、スイッチ３０６は、電源制御部３０９からの出力に応じてＯＮ−ＯＦＦ動作をする。
【００５９】
装着した電池電圧が、電源制御部でＢＣ＿ＮＧレベルと判定したとき、スイッチ３０３、スイッチ３０５、スイッチ３０６が動作できる（最低動作電圧以上）ならばスイッチ３０３、スイッチ３０５は、指向性制御部＆ａｍｐ部３０４をパスするスイッチ動作をし、スイッチ３０６は、指向性制御部＆ａｍｐ部３０４へ通電するスイッチＯＦＦ動作をする。動作できない（最低動作電圧未満）ならばスイッチ３０３、スイッチ３０５は、指向性制御部＆ａｍｐ部３０４をパスする接続から変化しないスイッチ３０６は指向性制御部＆ａｍｐ部３０４へ通電しないスイッチＯＦＦから変化しない。
【００６０】
このように、スイッチ３０３、スイッチ３０５、スイッチ３０６は、電源制御部３０９でＢＣ＿ＮＧレベルと判定される電池を装着した時に、指向性制御部＆ａｍｐ部３０４に対して、電源は通電せず、音声センサー部３０２からの音声新号はパスする接続となり、その状態は、電源制御部３０９の最低動作電圧を下回ったときも変わらない。
【００６１】
図２に示すブロック図の動作を図５、図６のフロー図を使って説明する。図５は、カメラが録画モードである時の動作を示すフロー図である図６は、外部マイクの動作を示すフロー図である。まず、図５について説明する。ユーザーは、カメラの電源を投入し、カメラを録画モードにすると、カメラはまず録画を行うための一連の準備を行う（＃１０）。マイコンＰＲＳ１４０は、ミニジャック４００に組み込まれているマイク挿抜検知機能を使って、外部マイクが電気的に接続されているか否かの検出（＃２０）を、録画＆録音のためのスイッチをユーザーがＯＮするまで繰り返し行う（＃３０）。
【００６２】
そして、ＯＮしたときに、＃２０の結果にて外部マイク接続と判断されていれば、外部マイクモード（＃５０）に、接続されていなければ内蔵マイクモード（＃７０）のいずれかに、音声処理部２００で行う信号処理内容を設定する。外部マイク、内蔵マイクそれぞれに対応したモードを設けているのは、内蔵マイクは、その性能が把握できており、狙いの音質となるように、周波数特性や感度の調整を行うが、外部マイクは、接続される製品の特性はさまざまであり製品性能としてまとめられているので、周波数特性や感度など一連の特性を、極力そのままで記録することを意図している。
【００６３】
外部マイクモード（＃５０）であれば制御部２０４にＰｉｎＰ制御スイッチ２０５をＯＮする通信を行い、ＰｉｎＰをＯＮする（＃６０）。通電開始後、マイク出力の安定を待って（＃８０）、録画&録音を開始する。（＃１００）録画&録音中も、外部マイクが電気的に接続されているか否かの検出（＃１１０）を行い、検出結果がそれ以前と異なり、接続状態が変化しているときは（＃１２０）、外部マイクが接続されたならば（＃１３０）外部マイクモード（＃１４０）に、接続されていなければ内蔵マイクモード（＃１６０）に、音声処理部２００で行う信号処理内容を設定する。
【００６４】
外部マイクモードが設定されるとＰｉｎＰをＯＮし（＃１５０）、内蔵マイクモード（＃１６０）が設定されるとＰｉｎＰをＯＦＦする。（＃１６０）ＰｉｎＰ出力のＯＮ−ＯＦＦは、ＰｉｎＰ制御スイッチ２０５をＯＮ−ＯＦＦする通信を制御部２０４に通信して行う。マイクの挿抜状態の変化がなければ、マイクモードの変更はしない。
【００６５】
＃１１０から＃１７０の内容は、録画＆録音中に外部マイクを取り外したときは、録音すべき音声信号を内蔵マイクへ切り替え、外部マイクを装着したときには録音すべき音声信号を外部マイクに切り替えて、録音が途絶える期間を最小限にするためのものである。
【００６６】
ユーザーが、録画＆録音停止操作をしていないならば、＃１００からの録画＆録音を継続し、録画＆録音停止操作をしたならば（＃２００）、録画＆録音を停止し（＃２１０）、ＰｉｎＰ制御スイッチ２０５をＯＦＦする通信を制御部２０４に通信し、ＰｉｎＰ出力をＯＦＦする。（＃２２０）その後、録画停止後処理（＃２３０）を行ってカメラ録画モードを終了する。
【００６７】
次に、図６について説明する。このフロー図は、図４Ａ、図４Ｂに示す外部マイクの回路動作シーケンスについて示すものである（回路動作は、後述する図７のタイミング図でも説明している）。ここでは、図４（Ａ）、（Ｂ）に示した電源制御部の出力により音声センサー部３０２の出力が指向性制御＆ａｍｐ部３０４をｐａｓｓするか経由するかをユーザーは外部マイク３００を、カメラまたは、カメラに替わる所定部に装着した後に、ミニジャックをカメラの外部マイク接続部に挿入し、電気的にも接続を確定させた状態からの動作を示す。
【００６８】
このとき、通常はカメラ側は、まだ録画、録音状態ではなく、ＰｉｎＰ制御スイッチ２０３はＯＦＦである。（＃５００）。ユーザーが外部マイクのメインＳＷ３０８を操作しＯＮすると、電池３０１から電源制御部３０９に通電開始される。（＃５１０）
以降＃５２０〜＃５７０は電源制御部３０９内の動作である。電源制御部３０９内にあるＢＣ_ＳＷは、電源制御部３０９に通電開始されたことを検知するとＢＣ_ＯＮ信号をＢＣ部に向けて出力する。（＃５２０）ＢＣ部はＢＣ_ＯＮ信号を受けて、電源制御部３０９に供給されている電源電圧のＢＣ（バッテリーチェック）を行う（＃５３０）。
【００６９】
ＢＣ結果はＢＣ結果ホールド部によりホールドされる。（＃５４０）ＢＣ結果が電池使用可であれば出力はＨレベル、電池使用不可であればＬレベルとなる。ホールド内容はメインＳＷ３０８がＯＦＦし、電源制御部３０８への通電が停止するまで継続する。ＰｉｎＰレベル検出部は接続しているカメラが出力するＰｉｎＰレベルを検出する。（＃５５０）ＰｉｎＰレベルは、カメラが録画の際に、外部マイク装着と判断したときは、Ｌ→Ｈレベルに切り替わる（＃５６０）。
【００７０】
図５に示すカメラの動作フロー図おいて＃６０あるいは＃１５０にてなされる処理である。ＰｉｎＰレベルがＨレベルであることは、カメラが録画＆録音状態であることを意味する。
【００７１】
ＢＣ結果が電池使用可（ＢＣ_ＯＫ）であるとＢＣ結果ホールド内容から判断すると（＃５７０）スイッチ３０６は、の指向性制御部＆ａｍｐ部３０４部へ電池３０１からの通電を行う。（＃６００）スイッチ３０３、３０５は、音声センサーブロック３０２からの出力が、指向性制御部＆ａｍｐ部３０４を経てカメラに出力されるよう設定される。（＃６１０）指向性制御部＆ａｍｐ部３０４が動作することで、指向性はユーザーが指向性選択ＳＷ３０７にて設定した内容となって（＃６２０）、カメラへ出力される。（＃６８０）このときの音声センサーブロック３０２の出力の経路およびスイッチ３０３，３０５、３０６の状態は図４（Ｂ）に示す内容である。一方、ＢＣ結果が電池使用不可（ＢＣ_ＮＧ）であると（＃５７０）、電池３０１から指向性制御部＆ａｍｐ部３０４への通電はしない（＃６５０）。
【００７２】
図２にて説明したように、スイッチ３０３、スイッチ３０５は電気的にＯＮ−ＯＦＦを行うスイッチであり、このとき、音声センサーブロック３０２の出力が、指向性制御部＆ａｍｐ部３０４をパスしてカメラに出力するように設定される。（＃６６０）さらに、電圧が低下し、電源制御部３０９が動作できない低い電圧では、電源制御部３０９の出力によらずＯＦＦを保持する指向性制御部を経由しないため、指向性はＲｃｈＥＣＭ、ＬｃｈＥＣＭの配置に依存した１２０°に切り替わり（＃６７０）、接続先であるカメラへ出力される（＃６８０）。
【００７３】
このときの音声センサーブロック３０２の出力の経路およびスイッチ３０３，３０５、３０６の状態は図４（Ａ）に示す内容である。ユーザーがメインＳＷ３０８を操作してＯＦＦにすれば（＃６９０）、カメラへの出力を停止し（＃７３０）終了する。
【００７４】
メインＳＷ３０８がＯＮであれば（＃６９０）、ＰｉｎＰレベル検出（＃７００）を確認し、Ｌレベルになっていなければ（＃７１０）、＃５７０に戻るとともにカメラへの出力を継続する。Ｌレベルであれば出力を停止して＃６９０に戻る。
【００７５】
ＰｉｎＰレベルがＬレベルになったのは、カメラが録画＆録音を停止したためであり、外部マイク３００も出力を停止しているのである。メインＳＷ３０８がＯＮであれば、カメラが録画＆録音を再開することを待つ（カメラが録画＆録音を再開するとＰｉｎＰレベルがＬ→Ｈレベルに切り替わる）。
【００７６】
図７は図２の動作を示すタイミング図であって、（ａ）は図２の電源制御部３０９にてＢＣがＯＫであったときの内容を示している。（ｂ）は図２の電源制御部３０９にてＢＣがＮＧであったときの内容を示している。まず、図７（Ａ）から説明する。ユーザーが撮影に際し、メインＳＷ３０８をＯＮすると、電源制御部３０９への通電が開始される（ｔ１）。電源制御部３０９は通電されたことを検知しタイミングｔ２までの期間にＢＣ（バッテリーチェック）を行う。
【００７７】
その後、ユーザーがカメラの録画＆録音ＳＷをＯＮすると、それに呼応してカメラはＰｉｎＰ出力をＯＮする。外部マイク３００はＰｉｎＰ出力を検知して、指向性制御＆ａｍｐ部へ通電を行う（ｔ３）。通電開始により、外部マイクはＬｃｈ，Ｒｃｈに音声信号を出力するが開始直後は、動作が安定していないため、不要なノイズを多く含んでいる（斜線部）。そのため、カメラはＭｕｔｅなる録音レベルを「０」とする期間あるいは、録画＆録音の開始を遅らせる期間を設け、その期間完了後（ｔ４）から録音を開始する。
【００７８】
所定の時間が経過し、ユーザーがカメラの録画＆録音ＳＷをＯＦＦすると、カメラはＰｉｎＰ出力をＯＦＦし、外部マイクは、指向性制御＆ａｍｐ部３０４への通電を停止する。そしてＬｃｈ，Ｒｃｈへの音声信号出力も停止する（ｔ５）。その後、ユーザーは外部マイクをメインＳＷ３０８をＯＦＦして終了する（ｔ７）。
【００７９】
次に、図７（ｂ）を説明する。同図では、図７（ａ）に対して、指向性制御＆ａｍｐ部３０４への通電の挙動が異なっている。ＢＣを行ったがＮＧ（電池性能低下で使用できない）と判断し、指向性制御＆ａｍｐ部３０４へ通電していないのである。図７（ａ）ではタイミングｔ３からｔ５の期間に指向性制御＆ａｍｐ部３０４へ通電しているが、図７（ｂ）ではメインＳＷ３０８をＯＮしている期間（ｔ１からｔ７）すべてで、指向性制御＆ａｍｐ部３０４へ通電していないのである。上記を除いた動作に違いはなく、すでに、図７（Ａ）にて説明しているのでここでは説明を省略する。
【００８０】
続いて、電源制御部３０９の動作について説明する。図８図７（ａ）における電源制御部３０９の動作を示すタイミング図である。電源制御部の動作でＢＣの結果がＯＫとなったときの動作を示す図である。図９は、図７（ｂ）における電源制御部３０９の動作を示すタイミング図である。電源制御部の動作でＢＣの結果がＮＧとなったときの動作を示す図である。
【００８１】
図中、図７と同じタイミングは（  ）にて併記している。例えばタイミングｔ１１に併記の（ｔ１）は図７のタイミングｔ１を意味する。まず、図８（ａ）について説明する。
【００８２】
図８（ａ）は新品電池を装着したときの電源制御部３０９の動作タイミングを示しておりユーザーが撮影に際し、メインＳＷ３０８をＯＮすると、電源制御部３０９への通電が開始されるとともにＢＣ_ＳＷ部はこれを検知して、ＢＣ_ＯＮ信号をＢＣ部に向けて出力する（ｔ１１）。ＢＣ回路電圧が上昇し、予め設定した最低動作電圧Ｖｄｅｔ_ｏｎを上回ると、ＢＣ部を構成する電圧検出ＩＣは出力レベルをＬ→Ｈに切り替える（ｔ１２）。その後、電池電圧がＶｂａｔ１に安定し（ｔ１３）、ＢＣ＿ｈｏｌｄ＿ｔｒｇがＨ→Ｌに立ち下がる（ｔ１４）と、ＢＣ結果ｈｏｌｄ部はＢＣ部を構成する電圧検出ＩＣは出力レベルを取り込み、保持する（保持は電源制御部３０９への通電を終えるまで継続する）。
【００８３】
ＢＣ_ＯＮ信号がＨ→Ｌに立ち下がる（ｔ１５）と、ＢＣ部への通電が停止し、ＢＣ回路電圧が少しずつ低下し、電圧Ｖｄｅｔ＿ｏｎからＶｈｙｓ下がった電圧で、ＢＣ部を構成する電圧検出ＩＣは出力レベルをＨ→Ｌに切り替える（ｔ１６）。
【００８４】
カメラが録画動作を開始し、ＰｉｎＰの電圧レベルがＬ→Ｈに立ち上がったことを、ＰｉｎＰレベル検知部が検知し出力をＬ→Ｈに切り替えると、ＡＮＤ回路はＢＣ結果ｈｏｌｄのＨレベルの信号とＡＮＤ処理を行い、ＡＮＤ回路出力をＬ→Ｈに切り替える（ｔ１８）。ＡＮＤ回路出力は、図２の電源制御部回路出力と同じ信号である。
【００８５】
ユーザーが撮影に際し、メインＳＷ３０８をＯＦＦし、電源制御部３０９への通電が終了すると（ｔ１９）、ＡＮＤ回路出力などＨレベルであった出力はいずれもＬレベルに切り替わる。以上が、新品電池を装着したときの電圧制御部３０９の動作である。
【００８６】
図８（ｂ）は、十分でないが使用可能な電池を装着したときの電源制御部３０９の動作タイミングを示している。電池はその性能、劣化度、残留電荷の程度や使用環境温度により特性が変化する。図８（ｂ）では、メインＳＷ３０８をＯＮした直後のＢＣ回路電圧の立ち上がりが図８（ａ）と比べてゆっくりであることが判る。そのため、ＢＣ部を構成する電圧検出ＩＣが出力レベルをＬ→Ｈに切り替えるタイミングまでが長くなっている（ｔ１２‘）。
【００８７】
安定時のＢＣ回路電圧Ｖｂａｔ２（ｔ１３‘）が、図８（ａ）のＶｂａｔ１より低いのは使用したことによる電池特性の低下によるものだが、ＢＣ結果ｈｏｌｄタイミング（ｔ１４）でＢＣ回路電圧が予め設定した最低動作電圧Ｖｄｅｔ_ｏｎを上回っており、ＢＣ＿ＯＮ電源制御部３０９の出力であるＡＮＤ回路出力は図８（ａ）に示す新品電池のときと差異なく動作する。図８（ｂ）でｔ１２’、ｔ１３’を除くほかのタイミングは図８（Ａ）と同じである。以上が、十分でないが使用可能な電池を装着したときの電圧制御部３０９の動作である。
【００８８】
図９は、使用不可なる電池を装着したときの電源制御部３０９の動作タイミングを示している。すでに使い込んでいる電池であるため、安定時の電圧Ｖｂａｔ３は図８に示す使用可能な電池の電圧Ｖｂａｔ１、Ｖｂａｔ２より低く、最低動作電圧Ｖｄｅｔ_ｏｎに達しない。そのため、ＢＣ結果を保持するタイミングであるＢＣ＿ｈｏｌｄ＿ｔｒｇの立下り時（ｔ１４）時には、電圧検出ＩＣ出力はＬレベルのままである。
【００８９】
したがって、ＢＣ結果ｈｏｌｄ信号もＬレベルから変わらないので、カメラが録画動作を開始し、ＰｉｎＰの電圧レベルがＬ→Ｈに立ち上がったことをＰｉｎＰレベル検知部が検知し、出力をＬ→Ｈに切り替えても、ＡＮＤ回路出力はＬのままである（ｔ１８）。また、さらに使い込んだ電池では、安定時であっても、その電圧Ｖｂａｔ３は最低動作電圧Ｖｄｅｔ＿ｏｎを下回る状態になり、このときもやはりＡＮＤ回路出力はＬのままである。以上が使用不可なる電池を装着したときの電圧制御部３０９の動作である。
【００９０】
このように、
電源系統を２つに分けて、
・音声センサー部（ＥＣＭなど）はＰｉｎＰ（プラグインパワー）対応する。
・指向性制御部およびａｍｐ部などは電池電圧を確認して使用可否判断する。
・電池電圧が指向性制御部＆ａｍｐ部の最低動作電圧を下回ったときは、音声センサー部出力を直接カメラへ提供する。
【００９１】
例えば、使用環境温度の低下により、一時的に電池が使用不能になっても、録画時の録音が絶たれることはない。
【００９２】
［実施の第２の形態］
以下、本発明の実施の第２の形態を詳細に説明する。図１０は本発明の実施の形態に係るカメラシステムの概略構成を示す図である。図１の外部マイク３００がカメラに接続された状態での音声処理部２００、挿抜検知部４００の構成について示すブロック図である。図２とは、メインＳＷ３０８、電源制御部３０９の構成が異なる。
【００９３】
メインＳＷ３０８は、３つの連動するスイッチで構成されており、プラグインパワー、電池３０１の２つの電源を音声センサー部３０２、電源制御部３０９に接続する。
接続内容は、図１１を使って後述する。
【００９４】
電源制御部３０９では、図２からＢＣモニタ部が追加され、プラグインパワーレベル検出部がレベル検出部に替わり、プラグインパワーの供給有無に加えて電池３０１の接続有無も検出できる構成になっている。ＢＣモニタ部は、装着している電池のＢＣ結果をＬＥＤにて表示するものであり、ＢＣ結果から、使用可能な電池であればＬＥＤを点灯し、使用可能な電池であればＬＥＤを消灯する。ＬＥＤ点灯時間は、ユーザーが視認できる時間（１秒未満）であって、ＬＥＤ点灯による電池３０１の負担を最少に抑えている。
【００９５】
レベル検出部は、メインＳＷ３０８により選択されたＰｉｎＰまたは電池３０１が、接続されているか否かを判断するものである。いずれかが接続されていることを検出すると出力をＬ→Ｈレベルに切り替える。接続されていなければ、ＧＮＤレベルである。ＡＮＤ回路は、ＢＣ結果ホールド出力とのＡＮＤ結果により、スイッチ３０６を制御して、指向性制御部＆ａｍｐ部３０４への通電を行っている。
【００９６】
図１１は、図１０に示すメインＳＷ３０８により音声センサー部３０２、指向性制御部＆ａｍｐ部３０４に供給される電源の関係を示す図である。メインＳＷ３０８は、モード０、モード１、モード２の３つのモードのいずれか１つを選択できる。モード０は、メインＳＷ３０８がＯＦＦの状態すなわち電源供給しない状態。外部マイクを使用しないときに設定する。モード１、モード２は、装着している電池のＢＣがＯＫで、使用できる電池と判断したときのメインＳＷ３０８の接続状態であり、モード１は、音声センサー部３０２にはＰｉｎＰを、指向性制御＆ａｍｐ部３０４には電池３０１を通電している。
【００９７】
音声センサー部３０２は、ＰｉｎＰ機能で動作させることができ、電池の負荷は指向性制御＆ａｍｐ部３０４のみに減らすことができる。モード２は、音声センサー部３０２、指向性制御＆ａｍｐ部３０４ともに電池３０１を通電するので、ＰｉｎＰ機能を持たないカメラへの装着も支障ない。モード１’、モード２’は、いずれもモード１、モード２とメインＳＷ３０８の接続状態は変わらないが、装着電池のＢＣがＮＧ（使用できない電池と判断）のため、指向性制御部＆ａｍｐ部３０４へ通電しないことを示している。
【００９８】
図１２は図１０の動作を示すタイミング図である。メインＳＷ３０８は、モード２の接続状態であって、電源制御部３０９にてＢＣがＯＫであるときの内容を示している。図中、図７と同じタイミングの部位には（）にて図７のタイミングを併記している。モード１の接続状態は実施例１で説明済のため、ここでは説明を省略する。ユーザーが撮影に際し、メインＳＷ３０８をＯＮすると、電源制御部３０９と音声センサー部３０２に電池３０１から通電が開始される（ｔ１０１）。
【００９９】
電源制御部３０９は通電されたことを検知しＢＣ（バッテリーチェック）を行い、その結果に基づいて、ＢＣモニタ表示および、指向性制御＆ａｍｐ部３０４へ、電池３０１からの通電を行う（ｔ１０２）。ここで、ＢＣの結果がＮＧで、装着している電池が使用できないと判断したときには、ＢＣモニタ表示であるＬＥＤは点灯せず、指向性制御＆ａｍｐ部３０４への通電も行わない。
【０１００】
指向性制御＆ａｍｐ部３０４へ通電されることで、Ｌｃｈ、Ｒｃｈには音声信号が出力される。ＢＣモニタ表示期間が終わり、電源投入によるＬｃｈ、Ｒｃｈへの音声信号出力の不安定期間（斜線部：不要なノイズを多く含んでいる）も終えて（ｔ１０３）、ユーザーがカメラの録画＆録音ＳＷをＯＮし、カメラは外部マイク３００からの音声信号の記録を始める。
【０１０１】
所定の時間が経過し、ユーザーがカメラの録画＆録音ＳＷをＯＦＦする（ｔ１０５）。その後、ユーザーは外部マイクのメインＳＷ３０８をＯＦＦすると、外部マイクは、音声センサー部３０２および電源制御部３０９、指向性制御＆ａｍｐ部３０４への通電を停止する（ｔ１０６）。ｔ１０７には、Ｌｃｈ、Ｒｃｈの通電停止直後の不安定な出力状態もなくなり、外部マイク３００は動作を停止する。
【０１０２】
音声センサー部３０２は電源電圧が最低動作電圧を下回ると、電圧に応じて、最大入力音圧および音声信号の歪が低下するので、電源電圧が最低動作電圧をわずかに下回る程度では会話レベルへの音圧は、その影響僅かであるが、電圧低下とともに歪が大きくなり聞き取れない状態になる。
【０１０３】
このように、電源系統を２つに分け、さらに音声センサー部の電源は、内蔵電池、ＰｉｎＰ（プラグインパワー）のいずれかを選択できるようにしたことで、ＰｉｎＰ（プラグインパワー）に対応していないカメラに接続しても、音声信号を出力でき、カメラは画像とともに音声を記録することができる。また、ＰｉｎＰ（プラグインパワー）機能をもつカメラに接続して使用するときには、音声センサー部をＰｉｎＰ（プラグインパワー）により動作させることで、内蔵電池の負荷を最少に抑えられる。
【符号の説明】
【０１０４】
１３  撮像部
１４１  画像処理部
６  画像表示部
４  焦点検出部
９  外部記憶装置
【図１】
2018074218.tif 000003
【図２】
2018074218.tif 000004
【図３】
2018074218.tif 000005
【図４Ａ】
2018074218.tif 000006
【図４Ｂ】
2018074218.tif 000007
【図４Ｃ】
2018074218.tif 000008
【図５】
2018074218.tif 000009
【図６】
2018074218.tif 000010
【図７】
2018074218.tif 000011
【図８】
2018074218.tif 000012
【図９】
2018074218.tif 000013
【図１０】
2018074218.tif 000014
【図１１】
2018074218.tif 000015
【図１２】
2018074218.tif 000016